(57)【特許請求の範囲】
【請求項１】
スイッチの操作面に接触した操作者の操作指から読み取られた生体情報と予め登録された登録者の生体情報との類似度を取得し、取得した類似度に基づいて当該操作者が当該登録者であるか否かを判定する判定部と、
操作者の生体情報が読み取れず、当該操作者の操作指に基づいて検出された総静電容量に予め定められた範囲で近い総静電容量を有する登録者の生体情報が存在する場合、当該操作者の生体情報と当該登録者の生体情報とを照合して算出される類似度を、照合せずに当該操作者が当該登録者であると判定される類似度となるように生成して前記判定部に出力する類似度生成部と、
を備えた操作者判定装置。
【請求項２】
前記操作面に接触した操作者の生体情報を読み取ると共に当該操作指との間に生じる静電容量を検出する検出部と、
予め登録された登録者の生体情報と総静電容量を関連付けて記憶する記憶部と、
を有し、
前記判定部は、取得した操作者の生体情報と登録者の生体情報の類似度が予め定められた類似度しきい値以上であった場合、当該操作者が当該登録者であると判定し、
前記類似度生成部は、操作者の生体情報が読み取れていた場合、読み取られた操作者の生体情報と前記記憶部に記憶された登録者の生体情報とを照合して類似度を算出し、操作者の生体情報が読み取れず、当該操作指に基づいて検出された総静電容量に前記予め定められた範囲で近い総静電容量を有する登録者の生体情報が存在する場合、照合せずに当該操作者が当該登録者であると判定されるように、前記類似度しきい値以上となる類似度を生成して前記判定部に出力する、
請求項１に記載の操作者判定装置。
【請求項３】
車両に搭載された複数の車載装置ごとに行われた車両設定とこの車両設定を行った登録者とを関連付けた車両設定テーブルを生成する車両設定テーブル生成部を有し、
前記判定部は、前記スイッチを操作した操作者が当該登録者であると判定した場合、前記車両設定テーブルに基づいて当該登録者が登録した車両設定を読み出して車両設定情報として出力する、
請求項１又は２に記載の操作者判定装置。
【請求項４】
前記操作面に接触した操作者の生体情報を読み取ると共に当該操作指との間に生じる静電容量を検出する検出部を有し、
前記判定部は、操作者の生体情報が読み取れていない場合、前記検出部に、静電容量の検出感度を上げさせる感度情報を出力する、
請求項１乃至３のいずれか１項に記載の操作者判定装置。
【発明の詳細な説明】
【技術分野】
【０００１】
本発明は、操作者判定装置に関する。
【背景技術】
【０００２】
従来の技術として、駆動源の始動や停止を指令する始動スイッチと、駆動源を始動させる始動手段と、指紋を読み取る指紋センサと、指紋センサ、始動スイッチからの入力に基づいて始動手段の作動を制御する始動処理を実行する制御手段と、を備えた始動制御装置が知られている（例えば、特許文献１参照。）。
【０００３】
この始動制御装置の制御手段は、始動スイッチにより始動が指令されたときに、始動手段による始動を実行する前に、指紋センサが読み取った指紋と予め登録された登録指紋とによる指紋照合を行い、一致判定がなされると、利用者が正当な利用者であると認証して始動手段による始動を許可する。
【先行技術文献】
【特許文献】
【０００４】
【特許文献１】特開２００８−１７４０９５号公報
【発明の概要】
【発明が解決しようとする課題】
【０００５】
しかし従来の始動制御装置は、操作者が手袋を着用しているなどの理由で指紋が読み取れなかった場合、認証を行うことができない。
【０００６】
従って、本発明の目的は、生体情報が読み取れていない場合でも操作者が予め登録されたいずれの登録者なのか、それとも未登録者なのかを判定することができる操作者判定装置を提供することにある。
【課題を解決するための手段】
【０００７】
本発明の一態様は、スイッチの操作面に接触した操作者の操作指から読み取られた生体情報と予め登録された登録者の生体情報との類似度を取得し、取得した類似度に基づいて当該操作者が当該登録者であるか否かを判定する判定部と、操作者の生体情報が読み取れていない場合、当該操作指に基づいて検出された総静電容量に予め定められた範囲で近い総静電容量を有する登録者の生体情報に対する類似度を当該操作者が当該登録者であると判定されるように生成して判定部に出力する類似度生成部と、を備えた操作者判定装置を提供する。
【発明の効果】
【０００８】
本発明によれば、生体情報が読み取れていない場合でも操作者が予め登録されたいずれの登録者なのか、それとも未登録者なのかを判定することができる。
【図面の簡単な説明】
【０００９】
【図１】図１（ａ）は、実施の形態に係る車両設定装置のブロック図の一例であり、図１（ｂ）は、車両設定装置の検出部の配置の一例を示す概略図である。
【図２】図２（ａ）は、実施の形態に係る車両設定装置の制御部が類似度の算出に利用する指紋パターンの特徴点の一例について説明するための概略図であり、図２（ｂ）は、検出部が読み取った静電容量の分布の一部の一例を示す概略図であり、図２（ｃ）は、記憶部が記憶する登録情報の一例を示す概略図である。
【図３】図３は、実施の形態に係る車両設定装置が含まれる車両設定システムの設定情報の生成に関係する部分のブロック図の一例である。
【図４】図４は、実施の形態に係る車両設定装置の車両設定テーブル生成部が生成する車両設定テーブルの一例を示す概略図である。
【図５】図５は、実施の形態に係る車両設定装置の動作の一例を示すフローチャートである。
【発明を実施するための形態】
【００１０】
（実施の形態の要約）
実施の形態に係る操作者判定装置は、スイッチの操作面に接触した操作者の操作指から読み取られた生体情報と予め登録された登録者の生体情報との類似度を取得し、取得した類似度に基づいて当該操作者が当該登録者であるか否かを判定する判定部と、操作者の生体情報が読み取れていない場合、当該操作指に基づいて検出された総静電容量に予め定められた範囲で近い総静電容量を有する登録者の生体情報に対する類似度を当該操作者が当該登録者であると判定されるように生成して判定部に出力する類似度生成部と、を備えて概略構成されている。
【００１１】
この操作者判定装置は、手袋の着用などにより生体情報が読み取れなくても検出することができる静電容量の総静電容量に基づいて類似度を生成するので、生体情報が読み取れていない場合でも操作者が予め登録されたいずれの登録者なのか、それとも未登録者なのかを判定することができる。
【００１２】
[実施の形態]
（車両設定装置１の概要）
図１（ａ）は、実施の形態に係る車両設定装置のブロック図の一例であり、図１（ｂ）は、車両設定装置の検出部の配置の一例を示す概略図である。図２（ａ）は、実施の形態に係る車両設定装置の制御部が類似度の算出に利用する指紋パターンの特徴点の一例について説明するための概略図であり、図２（ｂ）は、検出部が読み取った静電容量の分布の一部の一例を示す概略図であり、図２（ｃ）は、記憶部が記憶する登録情報の一例を示す概略図である。図３は、実施の形態に係る車両設定装置が含まれる車両設定システムの設定情報の生成に関係する部分のブロック図の一例である。なお、以下に記載する実施の形態に係る各図において、図形間の比率は、実際の比率とは異なる場合がある。また図１（ａ）及び図３では、主な信号や情報の流れを矢印で示している。
【００１３】
この操作者判定装置としての車両設定装置１は、図１（ａ）及び図１（ｂ）に示すように、スイッチとしてのスタートスイッチ５の操作面５０に接触した操作者の操作指から読み取られた生体情報１００と予め登録された登録者の生体情報１００との類似度１５１を取得し、取得した類似度１５１に基づいて当該操作者が当該登録者であるか否かを判定する判定部としての制御部１８と、操作者の生体情報１００が読み取れていない場合、当該操作指に基づいて検出された総静電容量に予め定められた範囲で近い総静電容量を有する登録者の生体情報１００に対する類似度１５１を当該操作者が当該登録者であると判定されるように生成して制御部１８に出力する類似度生成部１５と、を備えて概略構成されている。
【００１４】
また車両設定装置１は、操作面５０に接触した操作者の生体情報１００を読み取ると共に当該操作指との間に生じる静電容量を検出する検出部１０と、予め登録された登録者の生体情報１００と総静電容量を関連付けて記憶する記憶部１４と、を備えている。記憶部１４が関連付けて記憶する情報は、例えば、図１に示す登録情報１４０である。この登録情報１４０には、さらに登録者の生体情報１００が関連付けられている。
【００１５】
本実施の形態の車両設定装置１は、図１（ａ）及び図１（ｂ）に示すように、スタートスイッチ５と登録読出部１２を有している。
【００１６】
制御部１８は、取得した操作者の生体情報１００と登録者の生体情報１００の類似度１５１が予め定められた類似度しきい値１８０以上であった場合、当該操作者が当該登録者であると判定する。この登録者の生体情報１００は、上述のように、記憶部１４の登録情報１４０として保存されている。
【００１７】
類似度生成部１５は、操作者の生体情報１００が読み取れていた場合、読み取られていた操作者の生体情報１００と記憶部１４に記憶された登録者の生体情報１００とを照合して類似度１５１を算出し、操作者の生体情報１００が読み取れていない場合、登録者の生体情報１００に対する類似度１５１を類似度しきい１８０値以上となるように生成して制御部１８に出力する。
【００１８】
そして車両設定装置１は、車両に搭載された複数の車載装置ごとに行われた車両設定とこの車両設定を行った登録者とを関連付けた車両設定テーブル１６０を生成する車両設定テーブル生成部１６を備えている。制御部１８は、スタートスイッチ５を操作した操作者が当該登録者であると判定した場合、車両設定テーブル１６０に基づいて当該登録者が登録した車両設定を読み出して車両設定情報Ｓ４として出力する。
【００１９】
さらに車両設定装置１の制御部１８は、操作者の生体情報１００が読み取れていない場合、車載装置の検出感度を変えさせる感度情報Ｓ６を出力する。
【００２０】
上述の総静電容量１０１とは、検出部１０が検出した静電容量の総和を示している。また予め定められた範囲とは、操作者の総静電容量１０１と登録者の総静電容量１０１の差について、当該操作者を当該登録者と判定するための許容される範囲であり、範囲情報１５０として類似度生成部１５に記憶されている。
【００２１】
（スタートスイッチ５の構成）
スタートスイッチ５は、例えば、運転席に着座する操作者の前方や運転席と助手席の間に位置するフロアコンソールなどに配置されている。このスタートスイッチ５は、操作面５０になされたプッシュ操作（オン操作）により、車両の駆動装置の始動、又は始動準備を車両に指示し、その後になされたプッシュ操作（オフ操作）により、駆動装置の停止を指示する。
【００２２】
具体的には、駆動装置が内燃機関（エンジン）である場合、シフト装置やブレーキ装置の操作条件が満足された状態でなされたプッシュ操作によりエンジンが始動する。また駆動装置がモータである場合、上記の操作条件が満足された状態でなされたプッシュ操作によりモータに電流を供給する始動準備が行われる。さらに駆動装置がエンジンとモータのハイブリッドである場合、上記の操作条件が満足された状態でなされたプッシュ操作により、始動時に優先される駆動装置に対応して始動又は始動準備が行われる。このオン操作の後に行われたオフ操作によって、駆動装置の停止が指示される。なおシフト装置、ブレーキ装置及び駆動装置は、例えば、後述する車両制御部２２に接続されている。
【００２３】
また車両は、スタートスイッチ５の操作時のシフト装置の操作位置やブレーキ装置の操作状態により、一部の電装品に対して電力が供給されるＡＣＣや全ての電装品に電力が供給されるＯＮといった電源遷移を行う。
【００２４】
このスタートスイッチ５は、例えば、制御部１８に電気的に接続され、プッシュ操作に基づいてスイッチ信号Ｓ５を出力する。
【００２５】
（検出部１０の構成）
検出部１０は、スタートスイッチ５の操作面５０の下方に配置され、操作面５０に接触する操作指の生体情報１００を読み取ると共に操作指との間に生じる静電容量を検出して総静電容量１０１を出力するように構成されている。この生体情報１００は、一例として、操作指の指紋パターン及び静脈パターンの少なくとも一方のパターンの情報を含んでいる。
【００２６】
この検出部１０は、例えば、指紋パターンを読み取る場合、光学式、静電容量式、電界強度測定式、感圧式及び感熱式などの指紋パターンを読み取るように構成されたセンサが用いられる。
【００２７】
また検出部１０は、例えば、静脈パターンを読み取る場合、照射した近赤外線の反射に基づいて静脈パターンを読み出すように構成されたセンサが用いられる。
【００２８】
さらに検出部１０は、例えば、指紋パターンと静脈パターンの両方を読み取る場合、可視光を照射して撮像した画像を画像処理して指紋パターンと静脈パターンを抽出するように構成されたセンサが用いられる。
【００２９】
本実施の形態の検出部１０は、一例として、静電容量を検出して指紋パターンを読み取る静電容量式のセンサである。なお検出部１０が静電容量式以外の方式によって指紋パターンなどを読み取る場合、静電容量式のセンサが併設される。
【００３０】
この検出部１０は、一例として、操作面５０の下方に、絶縁された状態で交差する複数の電極を有している。検出部１０は、例えば、交差する一方向の１つの電極を駆動し、交差する他方向の電極によって操作指との間に生じる静電容量を順次読み取り、画像処理を行って指紋パターンの情報である生体情報１００を生成すると共に、読み取りの１周期分の静電容量の和である総静電容量１０１を生成するように構成されている。
【００３１】
図２（ｂ）に示す静電容量分布１０２は、検出部１０が検出した静電容量の分布の一部を示している。このように検出部１０は、検出した静電容量をデジタル値に変換して総和を算出し、総静電容量１０１を生成する。検出部１０は、生成した生体情報１００及び総静電容量１０１を制御部１８に出力する。
【００３２】
なお車両設定装置１は、検出部１０が静電容量を制御部１８に出力し、制御部１８が総静電容量１０１を算出するように構成されても良く、これらに限定されない。
【００３３】
（登録読出部１２の構成）
登録読出部１２は、一例として、図１（ｂ）に示すように、スタートスイッチ５の近傍に配置されたセットボタン１２０、登録ボタン１２１〜登録ボタン１２３を備えて概略構成されている。このセットボタン１２０、登録ボタン１２１〜登録ボタン１２３は、例えば、プッシュボタンとして構成されているがこれに限定されず、タッチスイッチであっても良い。
【００３４】
セットボタン１２０、登録ボタン１２１〜登録ボタン１２３は、操作者が自分好みに調整した車載装置ごとの設定、つまり車両設定を登録する際、及び登録した車両設定を呼び出す際に押されるボタン群である。
【００３５】
車載装置は、一例として、図３に示すように、ステアリング調整装置２４、シート調整装置２６、ミラー調整装置２８、車両周囲撮像装置３０、衝突警告装置３２、タッチパネル３４、表示装置３６、タッチパッド３８、空調装置４０、ナビゲーション装置４２、音楽再生装置４４及び映像再生装置４６などである。また車両設定装置１は、例えば、車両制御部２２が表示装置３６に表示させるメニューの項目数や種類などの設定を設定できる場合、当該設定を車両設定として車両設定テーブル１６０に登録する。
【００３６】
セットボタン１２０には、一例として、「ＳＥＴ」の文字が印刷されている。登録ボタン１２１〜登録ボタン１２３には、一例として、「Ａ」〜「Ｃ」の文字が印刷されている。この「Ａ」〜「Ｃ」は、登録者Ａ〜登録者Ｃを示している。なお登録ボタンの数や登録可能な登録者の数は、任意である。
【００３７】
ここで操作者が現在の車両設定を登録する場合、一例として、セットボタン１２０を押した後、当該車両設定を登録したい登録ボタンを押すことで登録される。この登録操作では、操作された登録ボタンに割り当てられた登録者とスタートスイッチ５をオン操作した際の生体情報１００及び総静電容量１０１とが関連付けられた登録情報１４０が記憶される。
【００３８】
そして登録の後、操作者が新たに車両に乗り込んでスタートスイッチ５をオン操作して生体情報１００が読み取れた場合、操作者の生体情報１００と登録情報１４０に登録された生体情報１００とが照合され、例えば、操作者が登録者Ａであった場合、登録者Ａが設定した車両設定が読み出される。
【００３９】
なお登録読出部１２の操作によって以前登録した車両設定を読み出したい場合、一例として、当該車両設定を登録した登録ボタンを押した後、セットボタン１２０を押すことで押された登録ボタンに関係する登録者の車両設定が読み出される。
【００４０】
セットボタン１２０、登録ボタン１２１〜登録ボタン１２３は、例えば、点灯又は点滅するように構成される。制御部１８は、例えば、操作者が未登録者である場合、登録操作を促すため、車両設定が登録されていない登録ボタンを点灯又は点滅させる。また制御部１８は、例えば、登録された車両設定が読み出される場合、既に登録されている登録ボタンを点灯又は点滅させる。この報知は、例えば、車両のスピーカから出力される音声メッセージによりなされても良いし、表示装置にメッセージ画像を表示させることによってなされても良いし、上述の点灯又は点滅と組み合わせて行われても良い。
【００４１】
登録読出部１２は、例えば、押されたボタンの組み合わせに応じた登録読出情報Ｓ１を生成し、制御部１８に出力する。制御部１８は、登録読出情報Ｓ１に基づいて車両設定の登録操作がなされたのか、読出操作がなされたのかを判断して適切な処理を行う。
【００４２】
なお登録読出部１２は、例えば、登録ボタン１２１が押された場合、登録ボタン１２１を押した操作者を登録者Ａとして登録読出情報Ｓ１を生成する。同様に、登録読出部１２は、例えば、登録ボタン１２２が押された場合、登録ボタン１２２を押した操作者を登録者Ｂとして登録読出情報Ｓ１を生成し、登録ボタン１２３が押された場合、登録ボタン１２３を押した操作者を登録者Ｃとして登録読出情報Ｓ１を生成する。
【００４３】
変形例として車両設定装置１は、例えば、複数の登録ボタンを操作することにより、押された登録ボタンの組み合わせに応じて３人より多くの登録者の車両設定の登録、及び読出しを行うことができるように構成されても良い。
【００４４】
（記憶部１４の構成）
記憶部１４は、一例として、半導体メモリである。この記憶部１４は、図２（ｃ）に示すように、登録者と当該登録者の生体情報１００及び総静電容量１０１を関連付けた登録情報１４０を記憶している。
【００４５】
（類似度生成部１５の構成）
類似度生成部１５は、読み取った操作者の生体情報１００と記憶部１４に記憶されている登録者の生体情報１００との類似度を算出して類似度１５１として出力する。
【００４６】
類似度生成部１５は、一例として、図２（ａ）に示すように、スタートスイッチ５の操作時に読み取られた操作者の生体情報１００に基づく指紋パターンの特徴点と、登録情報１４０に登録された登録者の生体情報１００に基づく指紋パターンの特徴点と、を照合して類似度１５１を算出する。
【００４７】
この特徴点とは、例えば、図２（ａ）に示すように、中心点１１０、分岐点１１１、端点１１２及び三角州１１３と呼ばれる４つの点である。中心点１１０とは、指紋パターン９０の中心となる点である。分岐点１１１とは、指紋の隆線が分岐している点である。端点１１２とは、隆線が切れている点である。三角州１１３とは、三方向から隆線が集まった点である。なお類似度生成部１５は、特徴点の位置、特徴点間の距離などに基づいて照合し、類似度１５１を算出する。
【００４８】
具体的には類似度生成部１５は、一例として、登録情報１４０に基づく登録者Ａ〜登録者Ｃの指紋パターンの特徴点がそれぞれ５０箇所であり、操作者の指紋パターンの特徴点との一致点が、登録者Ａが４０箇所、登録者Ｂが２０箇所、登録者Ｃが３３箇所である場合、登録者Ａとの類似度が８０（％）、登録者Ｂとの類似度が４０（％）、及び登録者Ｃとの類似度が６６（％）と算出する。制御部１８は、一例として、類似度しきい値１８０が７０（％）である場合、操作者が登録者Ａであると判定する。
【００４９】
ここで類似度生成部１５は、検出部１０が生体情報１００を読み取れていなかった場合、総静電容量１０１に基づいて類似度１５１を生成する。この検出部１０が生体情報１００を読み取れていなかった場合とは、一例として、操作者の指紋が薬剤などの影響で消えていたり、手袋を着用して操作していたりすることによって特徴点が比較できるほど取得できていないことを示している。
【００５０】
類似度生成部１５は、例えば、検出部１０から生体情報１００を取得したものの特徴点が検出されない、つまり生体情報１００を読み取れていなかった場合、総静電容量１０１を取得し、取得した総静電容量１０１に近い総静電容量が登録情報１４０に存在するか確認する。ここで、類似度生成部１５は、生体情報１００と共に総静電容量１０１を取得するように構成されても良いし、制御部１８などに一時的に保存されていた総静電容量１０１を取得するように構成されても良い。
【００５１】
類似度生成部１５は、操作者の総静電容量１０１と登録者の総静電容量１０１の差が範囲情報１５０に基づく予め定められた範囲内である場合、当該登録者の生体情報１００に対する類似度が類似度しきい値１８０以上となる類似度１５１を生成して制御部１８に出力する。当該類似度１５１は、一例として、類似度しきい値１８０が７０である場合、７０として出力される。
【００５２】
（車両設定テーブル生成部１６の構成）
図４は、実施の形態に係る車両設定装置の車両設定テーブル生成部が生成する車両設定テーブルの一例を示す概略図である。図４に示す設定は、登録可能な設定の一部を図示している。
【００５３】
車両設定テーブル生成部１６は、車載装置ごとの設定とこの設定を登録した登録者とを関連付けた車両設定テーブル１６０を生成する。図４に示す車両設定テーブル１６０には、車両制御部２２〜映像再生装置４６の設定の一部が図示されている。
【００５４】
図４に示す車両設定テーブル１６０の車両制御部２２に関する項目は、一例として、表示装置３６に表示される基準画面のメニュー項目に関する設定の項目であり、設定範囲が詳細メニュー、標準メニュー、簡易メニュー、初期設定が標準メニューである。なお他の設定可能な設定は、一例として、メニュー項目の配置などに関する設定である。
【００５５】
ステアリング調整装置２４に関する項目は、一例として、ステアリングの上下角に関する設定の項目であり、設定範囲が１０段階、初期設定が５である。なお他の設定可能な設定は、一例として、ステアリングの長さ調整などに関する設定である。
【００５６】
シート調整装置２６に関する項目は、一例として、シートの前後位置に関する設定の項目であり、設定範囲が３０段階、初期設定が１５である。なお他の設定可能な設定は、一例として、シートの倒れる角度、シートの高さなどに関する設定である。
【００５７】
ミラー調整装置２８に関する項目は、一例として、ミラーの左右角度に関する設定の項目であり、設定範囲が３０段階、初期設定が１５である。なお他の設定可能な設定は、一例として、上下角度などに関する設定である。
【００５８】
車両周囲撮像装置３０に関する項目は、一例として、表示装置３６に表示させる車両の周囲の画像範囲に関する設定の項目であり、設定範囲が全方向、後方、左方向、初期設定が全方向である。なお他の設定可能な設定は、一例として、予測される軌道の表示などに関する設定である。
【００５９】
衝突警告装置３２に関する項目は、一例として、警告音に関する設定の項目であり、設定範囲が２０段階、初期設定が１０である。なお他の設定可能な設定は、一例として、障害物を検知する感度などに関する設定である。
【００６０】
タッチパネル３４に関する項目は、一例として、操作指の検出感度に関する設定の項目であり、設定範囲が２０段階、初期設定が１０である。このタッチパネル３４は、表示装置３６に重ねて設置されている。なお他の設定可能な設定は、一例として、自動感度調節のＯＮ、ＯＦＦなどに関する設定である。
【００６１】
表示装置３６に関する項目は、一例として、明度に関する設定の項目であり、設定範囲が５０段階、初期設定が２５である。なお他の設定可能な設定は、一例として、コントラストなどに関する設定である。
【００６２】
タッチパッド３８に関する項目は、一例として、操作指の検出感度に関する設定の項目であり、設定範囲が２０段階、初期設定が１０である。このタッチパッド３８は、例えば、運転席と助手席の間のフロアコンソールに配置されている。なお他の設定可能な設定は、一例として、自動感度調節のＯＮ、ＯＦＦなどに関する設定である。
【００６３】
空調装置４０に関する項目は、一例として、設定温度に関する設定の項目であり、設定範囲が１８〜３０℃、初期設定が２０℃である。なお他の設定可能な設定は、一例として、運転席、助手席、後部座席ごとの設定温度、吹出口、自動温度調整のＯＮ、ＯＦＦなどに関する設定である。
【００６４】
ナビゲーション装置４２に関する項目は、一例として、表示装置３６に表示される地図画像の縮尺に関する設定の項目であり、設定範囲が２５ｍ（１／２５００）〜２００ｋｍ（１／２０４８万）、初期設定が１００ｍ（１／１万）である。なお他の設定可能な設定は、一例として、目的地の選択、駐車場などのアイコンの表示・非表示などに関する設定である。
【００６５】
音楽再生装置４４に関する項目は、一例として、曲のシャッフルに関する設定の項目であり、設定範囲がＯＮとＯＦＦ、初期設定がＯＦＦである。なお他の設定可能な設定は、一例として、音量、音質などに関する設定である。
【００６６】
映像再生装置４６に関する項目は、一例として、再生位置に関する設定の項目であり、設定範囲が前回再生位置及びメインメニュー、初期設定が前回再生位置である。なお他の設定可能な設定は、一例として、音量、音質などに関する設定である。
【００６７】
なお他の車載装置としては、ワイパ装置（例えば、自動ワイパ機能のＯＮ・ＯＦＦ）、ヘッドライト（例えば、自動ライト機能のＯＮ・ＯＦＦ）、無線ネットワーク装置（例えば、携帯電話及びスマートフォンなどとの接続・非接続）、アイドリングストップ装置（例えば、アイドリングストップのＯＮ・ＯＦＦ）、駆動方法切替装置（例えば、２ＷＤと４ＷＤの切り替え）、走行モード切替装置（例えば、ノーマルモード、スポーツモード、オールウェザーモード）、横滑り安全装置（例えば、機能のＯＮ・ＯＦＦ）などがある。
【００６８】
車両設定テーブル生成部１６は、例えば、現在の車両設定の登録操作が行われた場合、現在の車両設定に関する設定情報Ｓ３を車両制御部２２から取得すると共に制御部１８から登録者を識別する識別情報Ｓ２を取得し、登録者と車両設定とを関連付けて車両設定テーブル１６０を作成する。この設定情報Ｓ３は、例えば、制御部１８が登録読出情報Ｓ１に基づいて登録操作が行われたと判定し、車両制御部２２に設定情報Ｓ３の出力を依頼することで得られる。
【００６９】
また車両設定テーブル生成部１６は、例えば、車両設定の読み出しが行われる場合、制御部１８が出力した識別情報Ｓ２が示す登録者の車両設定を車両設定テーブル１６０から読み出し、車両設定情報Ｓ４として出力する。
【００７０】
（制御部１８の構成）
制御部１８は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部１８が動作するためのプログラムと、類似度しきい値１８０と、が格納されている。ＲＡＭは、例えば、一時的に演算結果などを格納する記憶領域として用いられる。
【００７１】
制御部１８は、登録操作がなされた場合、登録者と登録者の生体情報１００及び総静電容量１０１を関連付けた登録情報１４０を記憶部１４に記憶させるように構成されている。
【００７２】
また制御部１８は、類似度生成部１５から取得した類似度１５１と類似度しきい値１８０を比較し、類似度１５１が類似度しきい値１８０以上である場合、操作者が登録者であるとする識別情報Ｓ２を生成して車両設定テーブル生成部１６に出力する。車両設定テーブル生成部１６は、識別情報Ｓ２に基づいて登録者の車両設定情報Ｓ４を車両設定テーブル１６０より読み出して出力する。
【００７３】
制御部１８は、例えば、図３に示すように、車両ＬＡＮ２０に電磁気的に接続されている。制御部１８は、例えば、車両ＬＡＮ２０を介して車両制御部２２などと接続され、相互に情報などを交換している。以下では、主に車両設定に関する車両設定システム２について説明する。
【００７４】
車両設定システム２は、一例として、図３に示すように、車両設定装置１と、複数の車載装置と、車両設定装置１から出力された車両設定情報Ｓ４に基づいて複数の車載装置を制御する車両制御部２２と、を備えている。
【００７５】
車両制御部２２は、例えば、記憶されたプログラムに従って、取得したデータに演算、加工などを行うＣＰＵ、半導体メモリであるＲＡＭ及びＲＯＭなどから構成されるマイクロコンピュータである。
【００７６】
この車両制御部２２は、図３に示すように、制御部１８からの依頼によってステアリング調整装置２４〜映像再生装置４６の設定の情報である現在設定情報Ｓ１０〜現在設定情報Ｓ２１を、車両ＬＡＮ２０を介して取得する。そして車両制御部２２は、取得した現在設定情報Ｓ１０〜現在設定情報Ｓ２１に基づいて設定情報Ｓ３を生成し、車両ＬＡＮ２０を介して車両設定装置１に出力する。
【００７７】
また車両制御部２２は、車両設定装置１から車両ＬＡＮ２０を介して車両設定情報Ｓ４を取得する。車両制御部２２は、取得した車両設定情報Ｓ４に基づいて車載装置ごとの設定の情報である個別設定情報Ｓ３０〜個別設定情報Ｓ４１を生成し、車両ＬＡＮ２０を介して対応する車載装置に出力する。車載装置は、自身に対応する個別設定情報に基づいて登録者が登録した設定に変更する。
【００７８】
ここで制御部１８は、例えば、生体情報１００が読み取れていない場合、操作者が手袋を着用しているとしてタッチパネル３４やタッチパッド３８の感度を上げさせる感度情報Ｓ６を出力する。操作者が手袋を着用していると、一例として、静電容量式のセンサを用いた入力部を有する車載装置の場合、タッチ操作などが検出できない可能性がある。本実施の形態の車両設定装置１は、感度を上げさせる感度情報Ｓ６を出力するので車両設定システム２のタッチパネル３４などの車載装置の感度を適切に設定させることができる。
【００７９】
以下に本実施の形態における車両設定装置１の動作の一例について図５のフローチャートに従って説明する。
【００８０】
（動作）
操作者がスタートスイッチ５を操作すると、車両設定装置１の検出部１０は、生体情報１００を読み取って出力すると共に静電容量を検出して総静電容量１０１を出力する（Ｓｔｅｐ１）。
【００８１】
類似度生成部１５は、生体情報１００を取得すると特徴点について判定する。類似度生成部１５は、照合できるほど生体情報１００に特徴点が存在しない、つまり生体情報１００が読み取れていない場合（Ｓｔｅｐ２：Ｎｏ）、総静電容量１０１に近い総静電容量１０１が登録情報１４０に存在するか確認すると共に手袋を着用して操作されているとして感度情報Ｓ６を、車両ＬＡＮ２０を介して出力する（Ｓｔｅｐ３）。タッチパネル３４やタッチパッド３８は、感度情報Ｓ６に基づいて手袋でなされた操作を検出できるように検出感度を上げる。
【００８２】
類似度生成部１５は、操作者の総静電容量１０１に予め定められた範囲で近い総静電容量１０１が登録情報１４０に存在する場合（Ｓｔｅｐ４：Ｙｅｓ）、当該範囲内の総静電容量１０１を有する登録者に対する類似度１５１を類似度しきい値１８０以上に高くして出力する（Ｓｔｅｐ５）。ここで当該登録者は、一例として、登録者Ａであるものとする。
【００８３】
制御部１８は、類似度生成部１５から操作者と登録者Ａとの類似度１５１が類似度しきい値１８０以上であるので操作者を登録者Ａと判定して操作者を登録者Ａとする識別情報Ｓ２を車両設定テーブル生成部１６に出力し、登録者Ａの車両設定情報Ｓ４を車両制御部２２に出力して車両設定装置１の動作を終了する（Ｓｔｅｐ６）。
【００８４】
ここでステップ２において類似度生成部１５は、生体情報１００が読み取れていた場合（Ｓｔｅｐ２：Ｙｅｓ）、操作者の生体情報１００と登録者の生体情報１００との類似度１５１を算出し（Ｓｔｅｐ７）、制御部１８に出力する。
【００８５】
制御部１８は、類似度１５１が類似度しきい値１８０以上である場合（Ｓｔｅｐ８：Ｙｅｓ）、ステップ６に処理を進める。また制御部１８は、類似度１５１が類似度しきい値１８０より小さい場合（Ｓｔｅｐ８：Ｎｏ）、未登録者として処理を終了する。なお制御部１８は、未登録者と判定した場合、登録操作を促すため、車両設定が登録されていない登録ボタンを点灯又は点滅させても良い。
【００８６】
またステップ４において、類似度生成部１５は、操作者の総静電容量１０１に予め定められた範囲内の総静電容量１０１が登録情報１４０に存在しない場合（Ｓｔｅｐ４：Ｎｏ）、動作を終了する。なお制御部１８は、存在しない場合、未登録者として登録操作を促すため、車両設定が登録されていない登録ボタンを点灯又は点滅させても良いし、生体情報１００が読み取れなかったことを報知しても良い。
【００８７】
（実施の形態の効果）
本実施の形態に係る車両設定装置１は、手袋の着用などにより生体情報１００が読み取れていなくても検出することができる静電容量の総静電容量１０１に基づいて類似度１５１を生成し、この類似度１５１に基づいて判定するので、生体情報１００が読み取れていない場合でも操作者が予め登録されたいずれの登録者なのか、それとも未登録者なのかを判定することができる。
【００８８】
車両設定装置１は、厚手の手袋や薄手の手袋を着用したまま登録した場合であっても総静電容量１０１の違いから登録者を識別可能なので、厚手の手袋や薄手の手袋を着用して登録することができる。
【００８９】
車両設定装置１は、素手の場合と手袋を着用したような生体情報１００が読み取れない場合とで、生体情報１００による照合と総静電容量１０１による照合とを使い分けるので、操作者が手袋を外して再操作するようなことなく照合がなされて操作性が良い。また車両設定装置１は、一度操作したスタートスイッチ５に対して再度生体情報１００を読み取らせる必要がないので、再操作による意図しない駆動装置の停止や電源遷移を防止することができる。
【００９０】
車両設定装置１は、生体情報１００が読み取れていない場合、操作者が手袋を着用しているとして車載装置であるタッチパネル３４やタッチパッド３８などの検出感度を、手袋を着用した状態で操作が検出できるように上げさせることができるので、操作者が素手であっても手袋であっても車載装置の操作感を変えずに自然な操作をすることができる。
【００９１】
車両設定装置１は、生体情報１００が読み取れない場合であっても操作者に適切な車両設定を提供することができる。
【００９２】
上述の実施の形態及び変形例に係る車両設定装置１は、例えば、用途に応じて、その一部が、コンピュータが実行するプログラム、ＡＳＩＣ（Application Specific Integrated Circuit）及びＦＰＧＡ（Field Programmable Gate Array）などによって実現されても良い。
【００９３】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００９４】
１…車両設定装置、２…車両設定システム、５…スタートスイッチ、１０…検出部、１２…登録読出部、１４…記憶部、１５…類似度生成部、１６…車両設定テーブル生成部、１８…制御部、２０…車両ＬＡＮ、２２…車両制御部、２４…ステアリング調整装置、２６…シート調整装置、２８…ミラー調整装置、３０…車両周囲撮像装置、３２…衝突警告装置、３４…タッチパネル、３６…表示装置、３８…タッチパッド、４０…空調装置、４２…ナビゲーション装置、４４…音楽再生装置、４６…映像再生装置、５０…操作面、９０…指紋パターン、１００…生体情報、１０１…総静電容量、１０２…静電容量分布、１１０…中心点、１１１…分岐点、１１２…端点、１１３…三角州、１２０…セットボタン、１２１〜１２３…登録ボタン、１４０…登録情報、１５０…範囲情報、１５１…類似度、１６０…車両設定テーブル、１８０…類似度しきい値
【図１】
0006599198.tif 000002
【図２】
0006599198.tif 000003
【図３】
0006599198.tif 000004
【図４】
0006599198.tif 000005
【図５】
0006599198.tif 000006